(57)【要約】      （修正有）【課題】専用ケーブルのみの接続を可能にし、製作者及び販売者が意図しない汎用ケーブルの接続を防止できる電気機器を提供することである。【解決手段】  専用ケーブル２には、その一方端部に先端部に電源プラグ２２とＡＶプラグ２３とが所定間隔で形成された嵌合凸部２１が形成される。電気機器本体１には、嵌合凸部２１が挿入される嵌合凹部１１が形成される。嵌合凹部２１には、電源プラグ２２とＡＶプラグ２３とに対応して、電源ジャック１２とＡＶジャック１３とが、上記所定間隔で形成される。上記所定間隔は、電源プラグ２２と同じプラグ５２が形成された汎用ケーブル５と、ＡＶプラグ２３と同じプラグが形成された汎用ケーブルとが、ジャック１２及び１３とに接続されないように設定される。嵌合凹部１１及び嵌合凸部２１の形状は、汎用ケーブルと汎用ケーブルとが、ジャック１２及び１３とに接続されないように設定される。【選択図】図２ 
0003118228.tif 000002
【実用新案登録請求の範囲】
【請求項１】
電気機器本体と、
前記電気機器本体に接続されるケーブルと、を備え、
前記ケーブルには、その一方端部に嵌合凸部が形成され、
前記電気機器本体には、前記嵌合凸部が挿入される嵌合凹部が形成され、
前記嵌合凸部の先端部には、少なくとも２つのプラグが所定間隔で形成され、
前記嵌合凹部には、前記少なくとも２つのプラグに対応して、少なくとも２つのジャックが、前記所定間隔で形成され、
前記所定間隔は、前記少なくとも２つのプラグの一方プラグと同一形状のプラグを有する単一の第１ケーブルの当該プラグと、前記少なくとも２つのプラグの他方プラグと同一形状のプラグを有する単一の第２ケーブルの当該プラグと、が同時に前記少なくとも２つのジャックに挿入されないように設定される、電気機器。
【請求項２】
電気機器本体と、
前記電気機器本体に接続されるケーブルと、を備え、
前記ケーブルには、その一方端部に嵌合凸部が形成され、
前記電気機器本体には、前記嵌合凸部が挿入される嵌合凹部が形成され、
前記嵌合凸部の先端部には、少なくとも２つのプラグが所定間隔で形成され、
前記嵌合凹部には、前記少なくとも２つのプラグに対応して、少なくとも２つのジャックが、前記所定間隔で形成され、
前記嵌合凹部及び前記嵌合凸部の形状は、前記少なくとも２つのプラグの一方プラグと同一形状のプラグを有する単一の第１ケーブルの当該プラグと、前記少なくとも２つのプラグの他方プラグと同一形状のプラグを有する単一の第２ケーブルの当該プラグと、が同時に前記少なくとも２つのジャックに挿入されないように設定される、電気機器。
【請求項３】
前記所定間隔は、前記第１ケーブルの前記プラグと、前記第２ケーブルの前記プラグと、が同時に前記少なくとも２つのジャックに挿入されないように設定される、請求項２記載の電気機器。
【請求項４】
前記嵌合凸部は、前記プラグの長手方向に前記各プラグが分離するように、分離している、
前記請求項１から３記載の電気機器。
【請求項５】
前記電気機器本体は、テレビジョンに接続され、人間が前記テレビジョンを見ながらその両手で把持し操作されるビデオゲーム機本体である、請求項１から４記載の電気機器。
【請求項６】
前記少なくとも２つのプラグは、それぞれ異なる機能を有する、請求項１から５記載の電気機器。
【請求項７】
電気機器本体に接続されるケーブルであって、
前記ケーブルには、その一方端部に嵌合凸部が形成され、
前記嵌合凸部の先端部には、少なくとも２つのプラグが所定間隔で形成され、
前記嵌合凸部は、前記電気機器本体に形成された嵌合凹部に挿入され、
前記少なくとも２つのプラグは、前記嵌合凹部に前記所定間隔で形成された少なくとも２つのジャックに挿入され、
前記所定間隔は、前記少なくとも２つのプラグの一方プラグと同一形状のプラグを有する単一の第１ケーブルの当該プラグと、前記少なくとも２つのプラグの他方プラグと同一形状のプラグを有する単一の第２ケーブルの当該プラグと、が同時に前記少なくとも２つのジャックに挿入されないように設定される、ケーブル。
【請求項８】
電気機器本体に接続されるケーブルであって、
前記ケーブルには、その一方端部に嵌合凸部が形成され、
前記嵌合凸部の先端部には、少なくとも２つのプラグが所定間隔で形成され、
前記嵌合凸部は、前記電気機器本体に形成された嵌合凹部に挿入され、
前記少なくとも２つのプラグは、前記嵌合凹部に前記所定間隔で形成された少なくとも２つのジャックに挿入され、
前記嵌合凹部及び前記嵌合凸部の形状は、前記少なくとも２つのプラグの一方プラグと同一形状のプラグを有する単一の第１ケーブルの当該プラグと、前記少なくとも２つのプラグの他方プラグと同一形状のプラグを有する単一の第２ケーブルの当該プラグと、が同時に前記少なくとも２つのジャックに挿入されないように設定される、ケーブル。
【請求項９】
前記所定間隔は、前記第１ケーブルの前記プラグと、前記第２ケーブルの前記プラグと、が同時に前記少なくとも２つのジャックに挿入されないように設定される、請求項８記載のケーブル。
【請求項１０】
前記嵌合凸部は、前記プラグの長手方向に前記各プラグが分離するように、分離している、
請求項７から９記載のケーブル。
【請求項１１】
前記少なくとも２つのプラグは、それぞれ異なる機能を有する、請求項７から１０記載のケーブル。
【請求項１２】
前記電気機器本体は、テレビジョンに接続され、人間が前記テレビジョンを見ながらその両手で把持し操作されるビデオゲーム機本体である、請求項７から１１記載のケーブル。
【請求項１３】
ケーブルが接続される電気機器本体であって、
前記電気機器本体には、前記ケーブルの一方端部に形成された嵌合凸部が挿入される嵌合凹部が形成され、
前記嵌合凹部には、前記嵌合凸部の先端部に所定間隔で形成された少なくとも２つのプラグに対応して、少なくとも２つのジャックが、前記所定間隔で形成され、
前記所定間隔は、前記少なくとも２つのプラグの一方プラグと同一形状のプラグを有する単一の第１ケーブルの当該プラグと、前記少なくとも２つのプラグの他方プラグと同一形状のプラグを有する単一の第２ケーブルの当該プラグと、が同時に前記少なくとも２つのジャックに挿入されないように設定される、電気機器本体。
【請求項１４】
ケーブルが接続される電気機器本体であって、
前記電気機器本体には、前記ケーブルの一方端部に形成された嵌合凸部が挿入される嵌合凹部が形成され、
前記嵌合凹部には、前記嵌合凸部の先端部に所定間隔で形成された少なくとも２つのプラグに対応して、少なくとも２つのジャックが、前記所定間隔で形成され、
前記嵌合凹部及び前記嵌合凸部の形状は、前記少なくとも２つのプラグの一方プラグと同一形状のプラグを有する単一の第１ケーブルの当該プラグと、前記少なくとも２つのプラグの他方プラグと同一形状のプラグを有する単一の第２ケーブルの当該プラグと、が同時に前記少なくとも２つのジャックに挿入されないように設定される、電気機器本体。
【請求項１５】
前記所定間隔は、前記第１ケーブルの前記プラグと、前記第２ケーブルの前記プラグと、が同時に前記少なくとも２つのジャックに挿入されないように設定される、請求項１４記載の電気機器本体。
【請求項１６】
前記電気機器本体は、テレビジョンに接続され、人間が前記テレビジョンを見ながらその両手で把持し操作されるビデオゲーム機本体である、請求項１３から１５記載の電気機器本体。
【考案の詳細な説明】
【技術分野】
【０００１】
本考案は、電源電圧及び／又は電気信号を伝達するケーブル、それを接続する電気機器本体、及びそれらの関連技術に関する。
【背景技術】
【０００２】
一般に電気機器は様々な種類（機能）のジャックを有する。ジャックおよびプラグの種類（機能）とは、例えば、電源用、オーディオ信号用、ビデオ信号用、および情報伝達用などである。このようなジャック及びプラグの形状やサイズ等は規格によって定められていることが多い。
したがって、電気機器に本来接続が予定されているケーブル（以下、「専用ケーブル」という。）と異なるケーブル（以下、「汎用ケーブル」という。）であっても、プラグが同じ規格であれば、当該電気機器に接続することは可能である。
【考案の開示】
【考案が解決しようとする課題】
【０００３】
しかしながら、当然、その電気機器にとっても（長期間の機能維持など）、ユーザにとっても（使い勝手など）、専用ケーブルを使用するほうが最適である。なぜなら、専用ケーブルは、その電気機器の使用方法や仕様等を考慮して、最適な形態（例えば、形状及び長さなど）に設定されているからである。また、粗悪な汎用ケーブルが使用され、想定外の不具合が発生する場合もあるからである。さらに、プラグの形状は同じでも、専用ケーブルと汎用ケーブルとで機能が異なる場合もあり、間違って装着された場合は、不具合発生の原因となる。
【０００４】
そこで、本考案の目的は、専用ケーブルのみの接続を可能にし、製作者及び販売者が意図しない汎用ケーブルの接続を防止できる電気機器及びその関連技術を提供することである。
【課題を解決するための手段】
【０００５】
本考案の第１の観点によると、電気機器は、電気機器本体と、前記電気機器本体に接続される専用ケーブルと、を備える。前記専用ケーブルには、その一方端部に嵌合凸部が形成され、前記電気機器本体には、前記嵌合凸部が挿入される嵌合凹部が形成される。さらに前記嵌合凸部の先端部には、少なくとも２つのプラグが所定間隔で形成され、前記嵌合凹部には、前記少なくとも２つのプラグに対応して、少なくとも２つのジャックが、前記所定間隔で形成される。そして、前記所定間隔は、前記少なくとも２つのプラグの一方プラグと同一形状のプラグを有する単一の第１汎用ケーブルの当該プラグと、前記少なくとも２つのプラグの他方プラグと同一形状のプラグを有する単一の第２汎用ケーブルの当該プラグと、が同時に前記少なくとも２つのジャックに挿入されないように設定される。
【０００６】
この構成によれば、２つのジャックの所定間隔は、２本の汎用ケーブルのプラグが形成された端部を並べたときの当該プラグの間隔よりも、短く設定される。これによって、汎用ケーブルの２つのプラグの間隔と電気機器本体の２つのジャックの所定間隔とが合致しないため、２本の汎用ケーブルを並べて電気機器本体のジャックに接続することはできない。仮に一方の汎用ケーブルを接続することはできたとしても、他方の汎用ケーブルは、接続済みの汎用ケーブルが邪魔になり、対応するジャックに接続することができない。
【０００７】
本考案の第２の観点によると、本考案を適用した電気機器は、電気機器本体と、前記電気機器本体に接続される専用ケーブルと、を備える。前記専用ケーブルには、その一方端部に嵌合凸部が形成され、前記電気機器本体には、前記嵌合凸部が挿入される嵌合凹部が形成される。さらに、前記嵌合凸部の先端部には、異なる機能を有する少なくとも２つのプラグが所定間隔で形成され、前記嵌合凹部には、前記少なくとも２つのプラグに対応して、少なくとも２つのジャックが、前記所定間隔で形成される。そして、前記嵌合凹部及び前記嵌合凸部の形状（以下、「所定形状」という。）は、前記少なくとも２つのプラグの一方プラグと同一形状のプラグを有する単一の第１汎用ケーブルの当該プラグと、前記少なくとも２つのプラグの他方プラグと同一形状のプラグを有する単一の第２汎用ケーブルの当該プラグと、が同時に前記少なくとも２つのジャックに挿入されないように設定される。
【０００８】
この構成によれば、嵌合凹部の所定形状（奥行きも含めた立体的な形状のことをいうものとする。）は、各汎用ケーブルのプラグが形成された端部の形状とは合致せず、各汎用ケーブルの当該端部が挿入できないような形状に設定される。このため、汎用ケーブルに形成されたプラグは嵌合凹部の底面にあるジャックに挿入できない。つまり、汎用ケーブルは、電気機器本体に接続できない。
【０００９】
また、本考案の第1及び第２の観点による電気機器の電気機器本体と専用ケーブルは、嵌合凸部と嵌合凹部とが嵌合しあった状態でプラグがジャックに挿入されるため、電気機器本体を動かしたり、専用ケーブルを抜こうとしたりする時に、プラグとジャックとの接続部分にかかる力が分散される。このため、嵌合凸部及び嵌合凹部を持たない一般的な電気機器本体及び汎用ケーブル比較して、プラグとジャックとの接続部分が壊れにくくなる効果もある。したがって本考案は、専用ケーブルが接続された状態のまま人間がその両手で把持し操作されるビデオゲーム機などの電気機器に好適である。
【００１０】
もちろん上記の第１の観点を適用した電気機器の特徴と第２の観点を適用した電気機器の特徴とを、組み合わせてもよい。
【００１１】
上記第１の観点による電気機器及び第２の観点による電気機器において、上記嵌合凸部は、前記プラグの長手方向に前記各プラグが分離するように、分離していてもよい。
【００１２】
上記第１の観点による電気機器及び第２の観点による電気機器において、上記少なくとも２つのプラグは、それぞれ異なる機能を有していてもよい。異なる機能とは例えば、電源用、オーディオ信号用、ビデオ信号用、および情報伝達用などである。
【考案を実施するための最良の形態】
【００１３】
以下、本考案に係る実施の形態について、図面を参照しながら詳細に説明する。なお、同一または相当部分については同一の参照符号を付してその説明を援用する。
【００１４】
図１は、本考案の実施形態における電気機器としてのビデオゲーム機１００の全体構成を示す図である。図１を参照して、ビデオゲーム機１００は、ビデオゲーム機本体１及び専用ケーブル２を含む。このビデオゲーム機本体１は、専用ケーブル２によってＡＣアダプタ３及びテレビジョン４に接続され、人間がテレビジョン４に映し出されるゲーム映像をみながらその両手で把持し、操作キー１４とボタン１５〜１９（後述の図２参照）を押して操作されるものである。ビデオゲーム機本体１は、スイッチ１０（後述の図２参照）をオンにすると電源電圧が供給され起動し、ビデオゲーム機本体１で生成されたゲーム画面がテレビジョン４に映し出される。
【００１５】
専用ケーブル２は、電源電圧をビデオゲーム機本体１に供給するための電源コード２４と、音声信号及び映像信号をテレビジョン４に送信するためのＡＶコード２５とが、一緒に被覆されたケーブルであり、ビデオゲーム機本体１との接続部分から一定距離離れた所で、電源コード２４とＡＶコード２５とに別れ、電源コード２４はＡＣアダプタ３に、ＡＶコード２５はテレビジョン４に接続される。
【００１６】
図２は、図１のビデオゲーム機本体１と専用ケーブル２の接続部分の拡大図である。図２を参照して、専用ケーブル２はその一方端部に、コネクタ２６を備える。コネクタ２６は把持部２７と、把持部２７から突出した四角柱状の嵌合凸部２１と、嵌合凸部２１から突出した電源電圧をゲーム機本体１に供給するための電源プラグ２２と、音声信号及び映像信号をテレビジョン４に送信するためのＡＶプラグ２３と、からなる。
【００１７】
一方、ビデオゲーム機本体１の正面には、四角柱状の嵌合凹部１１が形成される。嵌合凹部１１は、内壁面及び底面によって形成された凹部である。嵌合凹部１１の底面には、電源プラグ２２が挿入される電源ジャック１２とＡＶプラグ２３が挿入されるＡＶジャック１３とが形成される。
【００１８】
ここで嵌合凸部２１と嵌合凹部１１の形状は実質的に等しく設定されている。そして、電源プラグ２２とＡＶプラグ２３とは、所定の間隔Ｄ２（後述の図３参照）で形成されており、電源ジャック１２とＡＶジャック１３との間隔は所定の間隔Ｄ２と実質的に等しい所定の間隔Ｄ１（後述の図３参照）で形成されている。このため、嵌合凸部２１を嵌合凹部１１に挿入することができ、挿入することによって、電源プラグ２２は電源ジャック１２に、ＡＶプラグ２３はＡＶジャック１３に、接続される。よって、専用ケーブル２はビデオゲーム機本体１に接続することができる。しかし、汎用ケーブルはビデオゲーム機本体１に接続することができない。以下、ビデオゲーム機本体１に、専用ケーブル２は接続でき、汎用ケーブルは接続できないことを詳細に説明する。
【００１９】
図３（ａ）は、図２をビデオゲーム機本体１と専用ケーブル２との平面図である。図３（ｂ）は、嵌合凹部１１を図３（ａ）の矢印Ｂ方向から見た図である。図３（ｃ）は、コネクタ２６を図３（ａ）の矢印Ａ方向から見た図である。
【００２０】
図３を参照して、嵌合凹部１１の入口面の短辺の長さＸ１と、嵌合凸部２１の先端面の短辺の長さＸ２とは、実質的に同じ長さである。また嵌合凹部１１の入口面の長辺の長さＹ１と、嵌合凸部２１の先端面の長辺の長さＹ２とは、実質的に同じ長さである。さらに嵌合凹部１１の入口面から底面までの長さＺ１と、嵌合凸部２１の先端面から基部までの長さＺ２とは、実質的に同じ長さである。以上のように、嵌合凹部１１の形状と嵌合凸部２１の形状とは実質的に同一である。したがって、嵌合凹部１１に嵌合凸部２１がほぼ隙間無く挿入される。ただし、嵌合凸部２１及び嵌合凹部１１は上下非対称に形成されているため、コネクタ２６を上下逆さまにした場合、嵌合凸部２１は嵌合凹部１１の入口で引っかかり、嵌合凹部１１に挿入できない。
【００２１】
そして、電源ジャック１２の中心軸とＡＶジャック１３の中心軸との間隔Ｄ１と、電源プラグ２２の中心軸とＡＶプラグ２３の中心軸との間隔Ｄ２とは、上で述べたとおり実質的に等しい間隔である。このため、嵌合凸部２１が嵌合凹部１１に挿入されると、電源プラグ２２は電源ジャック１２に、ＡＶプラグ２３はＡＶジャック１３に挿入される。
【００２２】
このように、専用ケーブル２は嵌合凹部１１に対応する嵌合凸部２１を備え、プラグ２２及び２３の間隔Ｄ２も、ジャック１２及び１３の間隔Ｄ１と実質的に等しく作られているため、嵌合凸部２１を嵌合凹部１１に挿入することで、電源プラグ２２が電源ジャック１２に、ＡＶプラグ２３がＡＶジャック２３に、挿入される。このため、専用ケーブル２はビデオゲーム機本体１に接続することができる。次に、ビデオゲーム機本体１用に作られていない汎用ケーブルが、ビデオゲーム機本体１に接続されないことを説明する。
【００２３】
図４（ａ）は、図３（ａ）の専用ケーブル２を汎用ケーブル５及び６に置き換えた図である。図４（ｂ）は、嵌合凹部１１を図４（ａ）の矢印Ｂ方向から見た図である。図４（ｃ）は、コネクタ５６及び６６を図４（ａ）の矢印Ａ方向から見た図である。
【００２４】
図４を参照して、汎用ケーブル５は、電源プラグ２２と同一のプラグ５２を有する単一の汎用ケーブルである。汎用ケーブル６は、ＡＶプラグ２３と同一のプラグ６３を有する単一の汎用ケーブルである。汎用ケーブル５及び６はあくまで汎用ケーブルであり、専用ケーブル２のように、ビデオゲーム機本体１に接続されることを前提に作られてはいない。汎用ケーブル５及び汎用ケーブル６は、それぞれコネクタ５６及び６６を備える。コネクタ５６及び６６は、コネクタ２６とは違い、嵌合凸部２１に相当する部分を持たず、円筒形の把持部５７及び６７の中心からそれぞれプラグ５２及び６３が形成されている汎用的な形状である。
【００２５】
本実施の形態においては、汎用ケーブル５と汎用ケーブル６とを並べたときの、プラグ５２の中心軸とプラグ６３の中心軸との間隔Ｄ５は、電源ジャック１２とＡＶジャック１３との間隔Ｄ１よりも大きい。このため、汎用ケーブル５と汎用ケーブル６とを並べた状態では、プラグ５２を電源ジャック１２に、プラグ６３をＡＶジャック１３に同時に挿入できない。仮に汎用ケーブル５又は汎用ケーブル６の一方が接続できたとしても、他方の汎用ケーブルは、接続済みの汎用ケーブルの把持部が邪魔になり、対応するジャックにプラグを接続することができない。よって、汎用ケーブル５と汎用ケーブル６とを、２本同時にビデオゲーム機本体１に接続することはできない。
【００２６】
また、汎用ケーブル５の把持部５７の直径Ｘ５及び汎用ケーブル６の把持部６７の直径Ｘ６の各々は、嵌合凹部１１の入口面の短辺の長さＸ１より大きい。このため、汎用ケーブル５及び６を、ビデオゲーム機本体１に接続しようとすると、把持部５７及び６７が嵌合凹部１１の入口に引っ掛かってしまう。そして、プラグ５２及び６３は、嵌合凹部１１の底面にある電源ジャック１２及びＡＶジャック１３に挿入できない。つまり、汎用ケーブル５及び汎用ケーブル６は同時にビデオゲーム機本体１に接続することができない。
【００２７】
もちろん、電源ジャック１２とＡＶジャック１３との間隔Ｄ１と、プラグ５２と６３との間隔Ｄ５と、が異なるだけでも、汎用ケーブル５及び６を２本同時にビデオゲーム機本体１に接続することはできないし、また、汎用ケーブル５及び６の把持部５７及び６７の形状と嵌合凹部１１の形状とが異なるだけでも汎用ケーブル５及び６をビデオゲーム機本体１に接続することは接続できない。以上のようにして、専用ケーブル２のみの接続を可能にし、製作者及び販売者が意図しない汎用ケーブルの接続を防止している。
【００２８】
また、ビデオゲーム機１００の本体１と専用ケーブル２とは、嵌合凸部２１と嵌合凹部１１とが嵌合しあった状態でプラグ２２及び２３がジャック１２及び１３に挿入されるため、ビデオゲーム機本体１を動かしたり、専用ケーブル２を抜こうとしたりする時に、プラグとジャックとの接続部分にかかる力が分散される。このため、嵌合凸部及び嵌合凹部を持たない一般的な電気機器本体及び汎用ケーブル比較して、プラグとジャックとの接続部分が壊れにくくなる。特に、専用ケーブル２が接続された状態のまま人間がその両手で把持し操作されるビデオゲーム機１００などの電気機器には、好適である。
【００２９】
ここで、一般的な電気機器本体及びケーブルについて説明する。この一般的なケーブルは、その把持部にジャックを埋め込む形でコネクタを形成している。また、一般的に電気機器本体は、その側面に開口部が設けられ、その開口部の底面からプラグを突出させて設けている。そして、ケーブルの把持部を開口部に嵌め込み、プラグをジャックに挿入して、ケーブルと電気器本体とを接続する。この構成は、高圧電源が使用されるため、プラグとジャックを接続する際に誤ってプラグやジャックに触れると危険であるから、開口部と把持部によってプラグ及びジャックを覆い、接続時に手が触れないようにするための必然的な形状である。
【００３０】
このように、一般的なケーブルには、本実施の形態の把持部２７に相当する把持部は設けられているものの、嵌合凸部２１に相当するものは形成されていない。また、一般的な電気機器本体には、本実施の形態の嵌合凹部１１に相当するものは形成されていない。詳しくは次の通りである。一般的な電気機器本体の開口部は、上記危険防止のためのプラグの、言わばカバーであり、本実施の形態では、本体１側にジャック１２及び１３を設けているので、このような観点からは、一般的な電気機器本体の開口部に相当するものを設ける必要がない。よって、そもそも、一般的な電気機器本体の開口部と、本実施の形態の嵌合凹部１１とは全く異なるものである。
【００３１】
なお、本考案は、上記の実施の形態に限られるものではなく、その要旨を逸脱しない範囲で種々の態様において実施することが可能であり、例えば、以下のような変形が可能である。
【００３２】
（１）上記の実施の形態においては、ビデオゲーム機１００のためのプラグ及びジャックは、それぞれ２本設けていた。ただし、これらの本数は、それぞれ２本に限られず、３本以上でもよい。もちろん、各プラグが、異なる機能（種類）を有していてもよいし、同じ機能（種類）を有していてもよい。各ジャックについても同様である。例えば、電源プラグ、音声信号用プラグ、及び映像信号用プラグ、並びに、電源ジャック、音声信号用ジャック、及び映像信号用ジャックを設けることもできる。
【００３３】
（２）上記の実施の形態においては、嵌合凸部２１及び嵌合凹部１１の形状は四角柱状であったが、嵌合凸部２１が嵌合凹部１１にぴったり嵌合するのであれば、他の形状でもよい。
【００３４】
（３）図５は、本考案の実施形態における変形例の説明図である。上記の実施の形態においては、専用ケーブル２のコネクタは、コネクタ２６のみであった。しかし、図５を参照して、コネクタが、プラグの長手方向に電源プラグ２２とＡＶプラグ２３とが分離するように、コネクタ２６Ｒとコネクタ２６Ｌとに分離している。そして、コネクタ２６Ｒとコネクタ２６Ｌとを合わせると、電源プラグ２２とＡＶプラグ２３とは、電源ジャック１２とＡＶジャック１３との所定の間隔と、実質的に等しい間隔で並ぶ。また、コネクタ２６Ｒの嵌合凸部２１Ｒとコネクタ２６Ｌの嵌合凸部２１Ｌとが合わさった形状が、嵌合凹部１１の所定形状と実質的に等しくなる。このため、嵌合凹部１１に嵌合凸部２１R及び２１Lを挿入することができ、電源プラグ２３が電源ジャック１３に、ＡＶプラグ２３がＡＶジャック１３に、それぞれ挿入できる。したがって専用ケーブル２のコネクタは、この変形例におけるコネクタ２６R及び２６Lのように、プラグの長手方向に電源プラグ２２とＡＶプラグ２３とが分離するように、分離したコネクタであってもよい。なお、図中、専用ケーブル２の構成要素である電源コード２４とＡＶコード２５とは分かれて描かれているが、分かれたままＡＶアダプタ３とテレビジョン４とにそれぞれ接続されていてもよいし、途中で上記実施例のように一緒に被覆された状態となった後、再び電源コード２４とＡＶコード２５とに分かれてもよい。
【図面の簡単な説明】
【００３５】
【図１】本考案の実施形態における電気機器としてのビデオゲーム機１００の全体構成を示す図である。
【図２】図１のビデオゲーム機本体１と専用ケーブル２の接続部分の拡大図である。
【図３】（ａ）図２のビデオゲーム機本体１と専用ケーブル２との平面図である。（ｂ）嵌合凹部１１を図３（ａ）の矢印Ｂ方向から見た図である。（ｃ）コネクタ２６を図３（ａ）の矢印Ａ方向から見た図である。
【図４】（ａ）図３（ａ）の専用ケーブル２を汎用ケーブル５及び６に置き換えた図である。（ｂ）嵌合凹部１１を図４（ａ）の矢印Ｂ方向から見た図である。（ｃ）コネクタ５６及び６６を図４（ａ）の矢印Ａ方向から見た図である。
【図５】本考案の実施形態における変形例の説明図である。（ａ）コネクタ２６Ｒとコネクタ２６Ｌが分離した状態を示す図。（ｂ）コネクタ２６Ｒとコネクタ２６Ｌを合わせた状態を示す図。
【符号の説明】
【００３６】
１…ビデオゲーム機本体、２…専用ケーブル、３…ＡＣアダプタ、４…テレビジョン、５，６…汎用ケーブル、１１…嵌合凹部、１２…電源ジャック、１３…ＡＶジャック、２１，２１Ｒ，２１Ｌ…嵌合凸部、２２…電源プラグ、２３…ＡＶプラグ、２４…電源コード、２５…ＡＶコード、２６，２６Ｒ，２６Ｌ，５６，６６…コネクタ、２７，２７Ｒ，２７Ｌ，５７，６７…把持部、５２，６３…プラグ、１００…ビデオゲーム機。
【図１】
0003118228.tif 000003
【図２】
0003118228.tif 000004
【図３】
0003118228.tif 000005
【図４】
0003118228.tif 000006
【図５】
0003118228.tif 000007